(57)【要約】【課題】台紙に溝を切り、名刺や写真のコーナ部分を挿入固定するとき利用できる台紙溝付け用カッター装置を提供する。【解決手段】台紙に溝を切り、名刺や写真のコーナ部分を挿入固定できる台紙溝付け用カッター装置であって、通常の穴明けパンチと同様に押え板の上下動作で刃物を上下動作でき、かつ４個の刃物を下方の基板に対して同時に作動させることができ、安全、気軽に溝付け作業できる台紙溝付け用カッター装置。【選択図】      図1
2005046973.tif 000002
【特許請求の範囲】
【請求項１】
名刺や写真等の対象物を台紙の1部に固定するため、前記台紙上で配置する前記対象物の４隅に相当する位置に４個の線状溝を切り込むための台紙溝付け用カッター装置であって、
一端を固定端とし、上下に前記台紙を挿通できるだけの間隔を置いて上方及び下方の基板を一対設け、
前記上方の基板の前記固定対象物の４隅寸法に合わせた位置に４個の刃物を夫々上下動可能に配置し、
前記４個の刃物を常時上方に付勢し、それを下方へ押圧する場合には前記刃物を前記下方の基台を向けて接近させるバネ機構を設け、
前記上方の基板の一端には、ヒンジ結合され、その他端を上下動作可能の押え板を設け、
前記押え板には、これを下方に移動させた状態で前記４個の刃物を下方に押え込み、押え込み終了点にて全刃物を前記下方の基台に設けた刃物受け部に対して均等に接触させる押え金を設けたことを特徴とする台紙溝付け用カッター装置。
【請求項２】
前記刃物は、厚みのあるパンチで構成し、前記受け部は前記パンチに対応するダイで構成したことを特徴とする請求項１に記載の台紙溝付け用カッター装置。
【請求項３】
前記刃物の刃先の断面形状を、円弧形状としたことを特徴とする請求項１に記載の台紙溝付け用カッター装置。
【請求項４】
前記刃物の刃先の断面形状を、ハート形状としたことを特徴とする請求項１に記載の台紙溝付け用カッター装置。
【請求項５】
名刺や写真等の対象物を台紙の1部に固定するため、前記台紙上で配置する前記対象物の４隅に相当する位置に４個の線状溝を切り込むための台紙溝付け用カッター装置であって、
箱状体の４隅で前記固定対象物の４隅に合わせた位置に４個の刃物を夫々固定したことを特徴とする簡易式の台紙溝付け用カッター装置。
【発明の詳細な説明】
【技術分野】
【０００１】
本発明は、名刺や写真等の対象物を台紙の1部に固定するため、前記台紙上で、前記対象物の４隅に相当する位置に４個の線状溝を切り込む為の台紙溝付け用カッター装置に関する。
【背景技術】
【０００２】
従来より、ビジネス企画書やパンフレット等の書類中に名刺や写真等を固定するため、固定すべき対象物の４隅位置に直線状の線状溝を付け、ここに対象物の４隅を挟み込んで固定することが行われている。
【０００３】
線状溝は、専ら印刷機を連動するカッターローラにより行われており、文具としての台紙溝付けカッターなるものは販売されていない。
【０００４】
本発明は、この種の台紙溝付けカッターの新規提案をするものであるが、本発明の近似する従来技術としては、通常市販されている穴明けパンチや、実開平1-149299号公報（事務用パンチ）特開平11-114891号公報（コーナーペーパーパンチ）が参考となる。
【０００５】
通常市販されている穴明けパンチは、紙葉の一側に一対の穴を穿孔すべく、一対のパンチを一定間隔を置いて配置し、レバー操作でこれらパンチを上下動させ、基台との間に紙葉を挟んでレバーを下げ、基台に設けたダイとの間で一対の穴を穿孔するというものである。ダイで抜かれた円形の紙層は、ダイの下方に設けた箱状層カゴの中に落下される。前記基台上で紙葉を挿入する寸法は13mmに規格化されており、紙葉は一対の穴方向に移動自在であり、移動方向上で位置決めされ、穴明け位置が定められる。
【０００６】
実開平1-149299号公報に示されるとじ機能付事務用パンチは、通常市販されている事務用パンチ用のパンチ台を用いてＨ字形の刃、又はＨ字の両端を円弧状とした刃で、とじ機能付の穴を明けるというものである。
【０００７】
特開平11-114891号公報のコーナーペーパーパンチは、直角ガイドを有し、その上に配置された紙葉に直角方向の一対の刃を当て、特殊な専用紙を作るというものである。
【０００８】
企画書に名刺を挟み込む場合、従来は印刷会社のカッターロールで切り込みを入れるか、又は小刃を用いてマニュアルで切り込みを入れるという作業方法であった。印刷会社に依頼すると経費が発生するのみならず、大量生産でないとできない。また、マニュアル作業の場合、作業内容のクオリティが低い。さらに、小刃を使うということで安全性に問題があった。例えば営業マンがパンフレットを持参した場合などパンフレットに名刺をクリップで挟んだり、ホッチキスでとめたり、セロテープでとめたりというスタイルが見かけられる。台紙上に対象物を挟み込むための４隅の線状溝を入れることができる溝付け用カッター装置が有れば、誰でも何処でも簡単に名刺を挟み込むための切り込みを明けることができ、見た目のスマートさや、名刺の代わりにクーポン券を挟む等新しいプレゼン方法を提供できるものと考えられる。
【特許文献１】実開平1-149299号公報、第１頁、図４
【特許文献２】特開平11-114891号公報、第１頁、図１
【発明の開示】
【発明が解決しようとする課題】
【０００９】
本発明は、上記背景技術に鑑みて、台紙上に名刺や写真等の対象物を固定するのに必要な台紙溝付け作業を机上で行うことができる台紙溝付け用カッター装置を提供することを目的とする。
【００１０】
また、直線状の刃物に加えて刃物形状を円弧状やハート状にすることにより、従来手作業では為し得なかったデザイン性の高い溝付け作業を行うことができるようにし、台紙上に対象物を美しく固定できるようにすることを目的とする。
【課題を解決するための手段】
【００１１】
上記課題を解決することができる本発明の台紙溝付けカッター用装置は、名刺や写真等の対象物を台紙の1部に固定するため、前記台紙上で配置する前記対象物の４隅に相当する位置に４個の線状溝を切り込むための台紙溝付け用カッター装置であって、
一端を固定端とし、上下に前記台紙を挿通できるだけの間隔を置いて上方及び下方の基板を一対設け、
前記上方の基板の前記固定対象物の４隅寸法に合わせた位置に４個の刃物を夫々上下動可能に配置し、
前記４個の刃物を常時上方に付勢し、それを下方へ押圧する場合には前記刃物を前記下方の基台を向けて接近させるバネ機構を設け、
前記上方の基板の一端には、ヒンジ結合され、その他端を上下動作可能の押え板を設け、
前記押え板には、これを下方に移動させた状態で前記４個の刃部を下方に押え込み、押え込み終了点にて全刃物を前記下方の基台に均等に接触させる押え金を設けたことを特徴とする。
【００１２】
前記下方の基台の前記刃物と接触する位置には、刃物を一枚刃で構成する場合には必ずしもダイとしての焼入れ金具を用いる必要はなく、単に前記刃物の刃先の幅より僅かに大きな幅の溝による刃物受け部を形成する程度で良い。刃物を１mm程度の厚みのあるパンチで構成する場合にはダイとする。
【００１３】
上方の基台には４個の刃物が夫々上下動自在に配置され、バネ機構により常時上方に付勢された刃物を押え金付きの押え板で全刃物を前記下方の基台に均等に接触させるので、台紙に４隅の線状溝を入れることができる。厚みのあるパンチで穴明けした場合には、１mm程度の幅のある線状溝となる。
【００１４】
バネ機構としては、刃物を直接押し上げる形のものの他、前記ヒンジを介して前記押え板を押し上げるバネを設け、刃物を前記押え板に連動させるような構成とすることもできる。
【００１５】
前記刃物は、台紙に線状溝を入れるだけの幅の無い刃とすれば、通常のパンチ及びダイに相当する焼入れ金具としてのダイは必ずしも必要でない。刃物を下方の基台に対し押し下げたとき、台紙を切った刃物の刃先を傷めないよう、刃先を収容する刃先受け部を構成すれば良い。パンチと異なりゴミ屑も出ないので、この場合には、それを収容するカバー類も必要でない。
【００１６】
前記刃物の刃先の断面形状は、直線状のものの他、円弧形状やハート形状とすることもできる。
【００１７】
前記上下の基板に設けた刃物の間隔は名刺サイズ、又は写真サイズに変更可能とすることができる。この構成例としては、例えば上下夫々の基板にスライドベースを設け、各基板を２分割して幅を調節すると共に、かつ基板前後方向で前後の刃物を幅調節可能とすれば良い。
【００１８】
さらに、押え板による同時４個の溝付け作業を手動で行うべく、箱状体の４隅で前記固定対象物の４隅に合わせた位置に４個の刃物を夫々固定し、箱上部を手で押えつける、又はこぶしで叩くことにより台紙に溝をつけることができる簡易、手動式の台紙溝付け用カッター装置を構成することもできる。
【発明の効果】
【００１９】
本発明の台紙溝付け用カッター装置によれば、台紙上に、名刺や写真等の対象物を固定するための線状溝を、安全、容易、手軽に1回の手操作で４個、同時に入れることができる。手軽に利用できるので、台紙への対象物の固定用途を拡充することもできる。
【００２０】
線状溝の形状は、直線の他、円弧状又はハート状に定めることができるので、従来小刃ではできなかった美的形状とすることができる。利便性が高いので、ひいては台紙上への対象物の固定用途を拡充することができる。
【００２１】
簡易式のものは、箱状体を上方から押え又は叩くことで溝をつけることができ、簡易に利用できる。
【発明を実施するための最良の形態】
【００２２】
以下、添付図面を参照して、本発明を実施するための最良の形態を説明する。図１は、本発明の一実施形態に係る台紙溝付け用カッター装置の側面図、図２は平面図、図３は、図２のＦ３−Ｆ３線に沿った側断面図である。図４は図３の押え板を押し下げた状態で示す動作説明図、図５は刃物刃先の実施形態を示す端面図である。
【００２３】
図１〜図４に示す本発明の台紙溝付け用カッター装置１は、台紙２に名刺や写真等の対象物（図示せず）を固定するため、台紙２上で配置する対象物の４隅に相当する位置に４個の線状溝を切り込むための装置である。
【００２４】
台紙溝付け用カッター装置１は、一端（図において右方）を固定端とし、上下に前記台紙２を挿通できるだけの間隔を置いて、上方及び下方の基板３Ｄ、３Ｕが設けられている。
【００２５】
前記上方の基板３Ｕの前記固定対象物の４隅寸法に合わせた位置に４個の刃物４（４−１、４−２、４−３、４−４）を夫々上下動可能に配置している。刃物４は、１枚物の幅のない刃の例で示すが、幅のあるパンチ構成とされることもある。
【００２６】
図において台紙２を挿通可能な方向を前方、その反対を後方と呼ぶ。前方の刃物４−１、４−３と、後方の刃物４−２、４−４は夫々平行で矩形の対象物の４隅寸法に合わせて矩形配置とされる。
【００２７】
前記４個の刃物４−１、４−２、４−３、４−４を常時上方に付勢し、それを下方へ押圧する場合には、前記刃物４−１、４−２、４−３、４−４を前記下方の基台３Ｄに向けて接近させるバネ機構を設けている。バネ機構は、本例では、基台３Ｕの底部を各刃物４−１、４−２、４−３、４−４の中間位置との間に設けたコイルバネ５の例で示している。このコイルバネ５は、上方の基板３Ｕの底部と接触しており、各刃物４−１、４−２、４−３、４−４を常時上方に付勢している。
【００２８】
前記上方の基板３Ｕの一端（図において左方）には、一端がヒンジ６で結合され、その他端を上下動作可能の押え板７が設けられている。前記押え板７には、これを手で押え、下方に移動させた状態で前記４個の刃物４−１、４−２、４−３、４−４を下方に押え込み、押え込み終了点にて全刃物４−１、４−２、４−３、４−４を前記下方の基台３Ｄの上面に均等に接触させる押え金具８Ａ、８Ｂを設けている。本例の押え金８Ａ、８Ｂは、前記刃物４−１、４−３と、後方刃物４−２、４−４と夫々平行な２本のロッドで構成されている。これら押え金具８Ａ、８Ｂは、上方の基板３Ｕに対し固定的とされる。また、前方押え金具は、押え板７が上昇した位置で前方の刃物４−１、４−３の頭部と接触する位置とされ、後方の押え金具８Ｂは、図４に示すように押え板７を下方に押え込んだ位置で、全刃物４−１、４−２、４−３、４−４が同時に下方の基台３Ｄに接触する位置とされている。
【００２９】
従って、バネ５により、前方刃物４−１、４−３が前方の押え金具８Ａを押し上げるので、押え板７は常時図３に示す姿勢にあり、押え板７を下方に押え込むことにより、全刃物４−１、４−２、４−３、４−４の刃先を同時に下方の基台３Ｄに接触させることができる。通常の穴明けパンチと異なり、対偶関係にある４個の刃物を同時作動させなければならない点が大きく異なる。
【００３０】
前記下方の基台３Ｄの前記刃物４−１、４−２、４−３、４−４と接触する位置には、平面図上で前記刃物４−１、４−２、４−３、４−４の刃先の幅より僅かに大きな幅の溝による刃物受け部９が形成されている。前述のように、刃物４をパンチとする場合には、この部分にダイが配置される。刃物受け部９は、刃先形状に合わせた形状の溝となる。下方の基板３Ｄを板金製とする場合には溝とするが、下方基板３の上面をゴム等柔軟材とする場合には、刃先を食い込ませることができるので、刃物受け部９として特別の配慮を必要としない。
【００３１】
図５に示すように、刃先の形状Ｓは、直線形状ＳＳの他、円弧形状ＳＣ、ハート形状ＳＨとすることができる。刃物４をパンチとする場合には１mm程度の幅のある穴となる。
【００３２】
以上の構成の台紙溝付け用カッター装置１において、基台３Ｄ、３Ｕ間に台紙２を入れ、台紙２上で溝付けしたい位置に刃物４−１、４−２、４−３、４−４を合わせ、押え板７を手で押え込むことにより、刃物４−１、４−２、４−３、４−４の刃先で台紙２に４個の溝を同時に付けることができる。
【００３３】
台紙２と、刃物４−１、４−２、４−３、４−４の位置を正確に合わせるためには、台紙に面取りされた名刺又は写真大の矩形の型紙を当て、溝位置に印を付けておくのが良い。また、この印の延長上に線を入れ、この線を基台３Ｕ、３Ｄの側部に設けた印に合わせること等により、正確に位置決めできる。さらに、押え板７及び上方の基台３Ｕの刃物４−１、４−２、４−３、４−４に近い位置を透明としておいて、上方から台紙を見通せるようにすることもできる。
【００３４】
以上により、本発明の台紙溝付け用カッター装置１によれば、台紙に容易、手軽に図５に示すような線状溝を溝付けできるので、名刺固定可能な印刷物の試作をするとき、ノベルティの分野や営業マンがパンフレットに名刺を固定したいとき、生産者表示のパンフレットに名刺や写真を固定したいとき、企画書に対象物を固定したいとき、名刺や写真台帳を作りたいとき、手紙に名刺や写真を固定したいとき、その他クーポン券等を挟み込みたいとき等の場合に多用でき、用途拡充を図り、各分野で便利に利用できる。
【００３５】
前記上下の基板３Ｄ、３Ｕに設けた刃物４の間隔は名刺サイズ、又は写真サイズに変更可能とすることができる。この構成例としては、例えば上下夫々の基板にスライドベースを設け、各基板３Ｄ、３Ｕを２分割して幅を調節すると共に、かつ基板前後方向で前後の刃物を幅調節可能とすれば良い。
【００３６】
さらに、図６に示すように押え板７による同時４個の溝付け作業を手動で行うべく、箱状体１０の４隅で前記固定対象物の４隅に合わせた位置に４個の刃物４−１、４−２、４−３、４−４を夫々固定し、マット１１上で箱状体１０の上部を手で押えつける、又はこぶしで叩くことによりマット１１及び箱状体１０の刃物４間に配置した台紙に溝をつけることができる簡易、手動式の台紙溝付け用カッター装置を構成することもできる。マット１１は破線で示した位置で２つに折り畳み、名刺入れ用の箱内に入れ、併せて箱状体１０を入れ、コンパクトに収納することもできる。
【００３７】
本発明は、上記実施の形態に限定されるものではなく、本発明の要旨を逸脱しない範囲で設計的変更を行うことができ、各種態様で実施できる。
【図面の簡単な説明】
【００３８】
【図１】本発明の一実施形態に係る台紙溝付け用カッター装置の側面図である。
【図２】図１に示す台紙溝付け用カッター装置の平面図である。
【図３】図２のＦ３−Ｆ３線に沿って示す側断面図である。
【図４】図３の押え板を押え込んだ状態で示す動作説明図である。
【図５】本発明で実施できる刃物刃先の端面形状を示す説明図であり、（a）図は直線形状の刃先、（b）図は円弧形状の刃先、（c）図はハート形状の刃先を示す。
【図６】本発明の簡易式の台紙溝付け用カッター装置の斜視図を示し、（a）図はその本体を、（b）図はそれに付属されるマットを示す。
【符号の説明】
【００３９】
１  台紙溝付け用カッター装置
２  台紙
３Ｕ  上方の基板
３Ｄ  下方の基板
４（４−１、４−２、４−３、４−４）  刃物
５  コイルバネ
６  ヒンジ
７  押え板
８Ａ、８Ｂ  押え金具
９  刃物受け部
１０  箱状体
１１  マット
ＳＳ  直線形状
ＳＣ  円弧形状
ＳＨ  ハート形状
【図１】
2005046973.tif 000003
【図２】
2005046973.tif 000004
【図３】
2005046973.tif 000005
【図４】
2005046973.tif 000006
【図５】
2005046973.tif 000007
【図６】
2005046973.tif 000008